(57)【要約】      （修正有）【課題】２重のズボン下着を一度の縫製過程で製作でき、かつ小用を足すのに便利なズボン下着を提供する。【解決手段】ズボン下着は、内装部と外装部より成る。内装部は、前面シート１１と後面シートによって形成された当て布と、その両側に設けられた側面シートより成り、外装部は、前面シート２１と後面シート２２によって形成された当て布と、その両側に設けられた側面シート２３と、この側面シートの下部に続く筒状の脚シート２４より成り、内装部の前面シート１１の側部には、切欠き１１ｂによって開口が形成され、外装部の前面シート２１の反対側側部には、切欠き２１ｂによって開口が形成され、内装部の開口と外装部の開口は、重ね合された前面シート１１と２１の間を通って連通している。内装部と外装部の前面シート、後面シート、側面シートはそれぞれほぼ同形で、それぞれ対応するシートを重ね合せた状態で縫製される。【選択図】図８
0003186926.tif 000002
【実用新案登録請求の範囲】
【請求項１】
人体の下腹部前面から股下を通って背面の臀部を覆う第１の前面シート及び後面シートから形成された当て布と、この当て布に連続した人体の腰部両側を覆う第１の側面シートから成る内装部と、
前記内装部の前面シートと後面シート及び側面シートに対応してその外面に重ね合される第２の前面シート、後面シート及び側面シートと、第２の側面シートから連続して筒状に延びる人体の脚挿入用脚シートから形成された外装部より成り、
前記第１の前面シートの一方の側縁に開口を設け、前記第２の前面シートの他方の側縁に開口を設けて、両開口を重ね合された両前面シートの間で連通させたズボン下着。
【請求項２】
前記第１の前面シートと後面シート及び側面シートを前記第２の前面シートと後面シート及び側面シートとほぼ同形同サイズとし、それぞれ対応するシートを重ね合せた状態で縫製した請求項１に記載のズボン下着。
【請求項３】
前記第１の前面シートと後面シート及び第２の前面シートと後面シートがそれぞれ一枚の布地から形成された請求項１または２に記載のズボン下着。
【考案の詳細な説明】
【技術分野】
【０００１】
この考案は、ズボンの下に着用する下着に関する。
【背景技術】
【０００２】
通常、素肌に直接装着するトランクス、ブリーフ、ショーツのような内装下着の外に、防寒用として所謂股引やズボン下のような外装下着が着用される。また夏期であっても、脚部からの発汗が直接ズボンに吸収されるのを防止するためや、外観的な見苦しさを防止するため、サテン等の薄地から成る所謂ステテコが着用される。
【０００３】
このように下着を２重に重ね着する場合、身体の不自由な者や老齢者にとって着脱に大きな困難性を生起するほか、例えば小用を足す場合に、局部を２重の下着から外部に取り出すのが非常に困難である。その上ズボンを着用しておれば、これが３重になってさらに困難性が増大する。
【０００４】
下記の特許文献１には、ステテコサイズのズボン下と短パンツサイズのズボン下を一体に重ね合せたものが開示されている。この一体形ズボン下では、前述の着脱の困難性は克服できるかもしれないが、ズボン下の前面に設けられた局部取り出し用開口の構造については何の記載もない。
【０００５】
特許文献２には、ステテコの内面に、内面前面を覆うサポート布と、内面後面を覆う尻あて布を設けることが記載されている。しかしながら、局部に対応する部分は、「前あき」と記載されているのみであって、具体的構造について言及するところはない。
【０００６】
また、特許文献１及び２の下着は二枚重ねになっているが、完成した外装下着に内装下着を接続する方法で縫製されており、非常に手間がかかる問題がある。
【先行技術文献】
【特許文献】
【０００７】
【特許文献１】実開昭６０−１０５６０１号公報
【特許文献２】特開２００２−４１０２号公報
【考案の概要】
【考案が解決しようとする課題】
【０００８】
そこで、この考案の課題は、２重のズボン下着でありながら局部の出し入れが簡単にできるようにすることである。
【０００９】
この考案の他の課題は、内装部と外装部が２重になったズボン下着を一度の縫製過程で製造できるようにすることである。
【課題を解決するための手段】
【００１０】
上記の課題を解決するために、この考案においては、人体の下腹部前面から股下を通って背面の臀部を覆う第１の前面シート及び後面シートから形成された当て布と、この当て布に連続した人体の腰部両側を覆う第１の側面シートから成る内装部と、前記内装部の前面シートと後面シート及び側面シートに対応してその外面に重ね合される第２の前面シート、後面シート及び側面シートと、第２の側面シートから連続して筒状に延びる人体の脚挿入用脚シートから形成された外装部によってズボン下着を形成し、前記第１の前面シートの一方の側縁に開口を設け、前記第２の前面シートの他方の側縁に開口を設けて、両開口を重ね合された両前面シートの間で連通させたのである。
【００１１】
前記第１の前面シートと後面シート及び側面シートを前記第２の前面シートと後面シート及び側面シートとほぼ同形同サイズとし、それぞれ対応するシートを重ね合せた状態で縫製するのが好ましい。また、前記第１の前面シートと後面シート及び第２の前面シートと後面シートをそれぞれ一枚の布地から形成することができる。
【考案の効果】
【００１２】
この考案によれば、内面の前面シートの一方の側縁に開口を設け、外面の前面シートの他方の側縁に開口を設けて、両開口を重なり合った前面シートの間で連通するようにしたので、局部を取り出すのに何の困難もない。また、両開口は、いずれかの前面シートで閉じられているため、肌が露出することはない。
【００１３】
さらに、外装部と内装部を形成するシートをほぼ同形同サイズとして、同時に重ね合せ縫製すれば、製造コストを削減することができる。
【図面の簡単な説明】
【００１４】
【図１】内装部を形成する布地のブランク形状を示す平面図、
【図２】同上の布地からブリーフ形状の内装部を形成するイメージを示す分解斜視図、
【図３】外装部を形成する布地のブランク形状を示す平面図、
【図４】股下の当て布を示す側面図、
【図５】側面筒状部を形成する過程を示す側面図、
【図６】側面筒状部の完成正面図、
【図７】完成したズボン下着の裏面正面図、
【図８】完成したズボン下着の表面正面図である。
【考案を実施するための形態】
【００１５】
以下、この考案の実施形態を添付図面に基づいて説明する。図１及び図３は、この考案のズボン下着を形成するため、型紙によって裁断された布地の形状を示している。図１は肌に直接接する内装部１０の布地を示す。この内装部１０は、人体の中腹部から下腹部に当てがわれる前面シート１１、人体の臀部から腰部背面に当てがわれる後面シート１２、人体の腰部側面を覆う側面シート１３、１３及び大腿部を包囲する大腿シート１４、１４より成る。
【００１６】
前記前面シート１１は、ほぼ縦長の太鼓形状であって、一方の側縁１１ａに弓状切欠き１１ｂが設けられている。前記後面シート１２は、ほぼ徳利の上半部形状をなし、その一端縁１２ｃは前記前面シート１１の他端縁１１ｃとほぼ同一幅になっている。後述するように、前面シート１１と後面シート１２は、他端縁１１ｃと一端縁１２ｃに沿って縫い合され、人体の腹部前面から股下を通って人体背面の臀部周辺を覆う当て布となる。
【００１７】
前記一対の側面シート１３、１３は対称形であって、それぞれの内側縁１３ａは、前記前面シート１１の両側縁１１ａと突き合せたときにほぼ一致する曲線を有し、それぞれの外側縁１３ｂは、後面シート１２の両側縁１２ｂと突き合せたときにほぼ一致する曲線を画いている。そして、各大腿シート１４は、人体の脚の大腿部が挿入される円筒を形成する。図２は、図１の布地からブリーフ形状の内装部が形成されるイメージ図である（この図は内装部の形成手順を示すものではない）。図示のように、前面シート１１と後面シート１２を端縁１１ｃと１２ｃで接続し、Ｕ字状に折り曲げると、人体の腹部前面から股下を通って臀部に対応する当て布が形成される。そして側面シート１３を図示のように縦方向にＵ字形に折り曲げ、下部の大腿シート１４の両側縁１４ａと１４ｂを接続して筒状部を形成する。さらに樋状に折り曲げた各側面シート１３の一方の側縁１３ａを前面シート１１の両側縁１１ａにそれぞれ接続し、他方の側縁１３ｂを後面シート１２の両側縁１２ｂにそれぞれ接続すると、人体胴部に対応するように上面が開放されて、下部の両側に人体の脚部を挿入できる筒状部が設けられたブリーフ形態の内装部１０が形成される。この内装部は、前面シート１１の切欠き１１ｂの部分が欠円状開口となって、人体の局部を出し入れすることができるようになっている。
【００１８】
図３は、内装部１０の外面に設けられる外装部２０の布地形状を示す。図示のように、外装部２０は、前面シート２１、後面シート２２、側面シート２３、２３、脚シート２４、２４より成る。前面シート、後面シート、側面シートは、前記ブリーフ部１０の前面シート１１、後面シート１２、側面シート１３、１３と相似形でサイズもほぼ同じである。但し前面シート２１の弓状切欠き２１ｂは、ブリーフ部の前面シート１１の切欠き１１ｂと反対側に設けられている。また、外装部２０の脚シート２４、２４はブリーフ部１０の大腿シート１４、１４よりも縦長に形成されている。
【００１９】
上記のように裁断したシート２１、２２、２３、２４を用いて、外装部を形成するイメージは、図２の内装部を形成するイメージと同じである。即ち、前面シート２１と後面シート２２を端縁２１ｃと２２ｃで接続し、Ｕ字状に折り曲げると、人体の腹部前面から股下を通って臀部に対応する当て布が形成される。そして側面シート２３を縦方向にＵ字形に折り曲げ、下部の脚シート２４の両側縁２４ａと２４ｂを接続して筒状部を形成する。樋状に折り曲げた側面シート２３の一方の側縁２３ａを前面シート２１の側縁２１ａにそれぞれ接続し、他方の側縁２３ｂを後面シート２２の側縁２３ｂにそれぞれ接続すると、人体の胴部に対応するように上面が開放されて、下部の両側に人体の脚部を挿入できる筒状部が設けられた外装部２０が形成される。この外装部の前面は、切欠き２１ｂの部分が欠円状開口となって開放されている。
【００２０】
図１及び図３に示すような裁断シートを用いて、ズボン下着を形成する手順を説明する。まず、内装部１０の前面シート１１の切欠き１１ｂ及び外装部２０の前面シート２１の切欠き２１ｂに沿ってテープで縁取りを施しておき、図４に示すように、前面シート２１の上に前面シート１１を重ね合せ（このとき切欠き２１ｂと１１ｂとは左右対称位置にある）、後面シート２２の上に後面シート１２を重ね合せて、さらに端縁１１ｃと１２ｃ、端縁２１ｃと２２ｃに沿って縫代（ぬいしろ）分だけ４重に重ね合せ、縫代に沿って一挙に縫い合せる。これによって人体の腹部から股下を通って人体の背面臀部を覆う当て布１０Ａが形成される。この当て布は内外２重になり、その側縁１１ａ、２１ａ及び１２ｂ、２２ｂは重なり合った状態で連続して合致している。
【００２１】
次に、図５に示すように、大腿シート１４、１４の下縁１４ｃ、１４ｃ及び脚シート２４、２４の下縁２４ｃ、２４ｃに沿って狭巾の折り返し縁を形成した後、それぞれの側面シート２３、２３の上にそれぞれ側面シート１３、１３を上端縁を揃えて重ね合せる（勿論脚シート２４、２４及び大腿シート１４、１４と共に）。このように重ね合せた状態で、それぞれ脚シート２４及び大腿シート１４の両側縁２４ａ、２４ｂ及び両側縁１４ａ、１４ｂを突き合せて筒状にし、少しの縫代をとって一挙に縫い合せると（この縫目は４重になっている）、図６に示すような内外２重になった側面筒状部１０Ｂが出来上る。脚シート２４によって形成された筒状部は長く、大腿シート１４によって形成された筒状部はそれよりも短い。側面筒状部１０Ｂを形成すると、図２に示すイメージ図と同様に、側面シート１３及び２３は２重に重なった状態でＵ字形の樋状になり、その下に筒状部が連結したものが得られる。このような形状の側面シート１３、２３は一方の側縁１３ａ、２３ａから他方の側縁１３ｂ、２３ｂが連続したＵ字状になり、かつ図４の当て布１０Ａの連続した側縁１１ａ、２１ａ、１２ｂ、２２ｂと長さがほぼ同一になっている。この当て布１０Ａの２重の側縁と側面筒状部１０Ｂの２重になった側縁を突き合せながら、少しの縫代をとって縫い合せると（従って縫目は４重になっている）、図７に示す裏返したズボン下着が完成する。勿論側面筒状部１０Ｂは左右両方共に縫着しなければならない。このようにして出来上ったズボン下着の上面開口全周を２ｃｍ程度折り曲げ、その内部にゴム紐等の弾性帯を挿通して引締めバンド１５を設ける。図７のズボン下着を反転させると、図８に示すような正常なズボン下着が完成する。図示のように、外装部の前面シート２１の切欠き２１ｂによって形成された欠円状開口は、内装部の前面シート１１が当てがわれて内面から覆われているため、下腹部の肌が外部に直接露出することはなく、内装部の前面シート１１の切欠き１１ｂによって形成された欠円状開口は、外装部の前面シート２１によって覆われているため、下腹部の肌が直接露出することもない。しかしながら、内面のブリーフ部の欠円状開口と、外面のズボン下部の欠円状開口は、重なり合った前面シート１１と前面シート２１の間で連通しているため、小用を足すときなどに、局部を内装部の欠円状開口を通して外装部の欠円状開口から外部に容易に取り出すことができる。また、用便などの場合には、一度の操作で外装部と共に内装部を脱着することができる。
【００２２】
なお、図１及び図３において、前面シート１１と後面シート１２、前面シート２１と後面シート２２を別体の布地で形成したが、一枚の布地で連続したものとしてもよい。また、内装部に大腿を覆う筒状部を形成するための大腿シート１４を設けたが、これを省略して、内装部の下部側面に大腿を挿入する穴だけを設けることもできる。
【００２３】
なお、この考案のズボン下着は、ズボンやスラックスの下に着用するだけでなく、それ単独で用いられることは、言うまでもない。
【符号の説明】
【００２４】
１０  内装部
１０Ａ  当て布
１０Ｂ  側面筒状部
１１  前面シート
１１ａ  側縁
１１ｂ  切欠き
１１ｃ  端縁
１２  後面シート
１２ｂ  側縁
１２ｃ  端縁
１３  側面シート
１３ａ、１３ｂ  側縁
１４  大腿シート
１４ａ、１４ｂ  側縁
１４ｃ  端縁
２０  外装部
２１  前面シート
２１ａ  側縁
２１ｂ  切欠き
２１ｃ  端縁
２２  後面シート
２２ｂ  側縁
２２ｃ  端縁
２３  側面シート
２３ａ、２３ｂ  側縁
２４  脚シート
２４ａ、２４ｂ  側縁
２４ｃ  端縁
【図１】
0003186926.tif 000003
【図２】
0003186926.tif 000004
【図３】
0003186926.tif 000005
【図４】
0003186926.tif 000006
【図５】
0003186926.tif 000007
【図６】
0003186926.tif 000008
【図７】
0003186926.tif 000009
【図８】
0003186926.tif 000010